(57)【要約】【課題】蓋を取り外して内容物を取り出す容器では、蓋の開け閉めと蓋の仮置きなしに内容物を取り出せないため、面倒な作業をして内容物を取り出しているし、余分に出るものを出さないようにしなければならない。【解決手段】筒型の容器の蓋のある口とは別の口に、常に上向きになるための回転軸のあるカゴを取付け、容器を転倒させて、内容物をカゴに移し、容器を元に戻して、内容物を取り出せるようにした。【選択図】図１
2020045165.tif 000002
【特許請求の範囲】
【請求項１】
筒型の容器１に設けた軸受け４に、重さを利用して上向きを保つカゴ２の回転軸３を嵌め込み、前記容器と前記カゴを一体化させ、直立させると前記カゴが上にくる前記容器を転倒させて内容物を前記カゴに移動させ、前記容器を元に戻して内容物をカゴから取り出す、カゴ付き容器。
【請求項２】
前記カゴを金属などの重い材料で形成した、請求項１に記載のカゴ付き容器。
【請求項３】
前記カゴを紙やプラスチックなどの軽い材料で形成した、請求項１に記載のカゴ付き容器。
【請求項４】
前記カゴの底部に受皿５を取り付けた、請求項１に記載のカゴ付き容器。
【請求項５】
前記受皿を金属などの重い材料で形成した、請求項１に記載のカゴ付き容器。
【請求項６】
前記受皿をクッション材で形成した、請求項１に記載のカゴ付き容器。
【請求項７】
前記受皿に、内容物が嵌る凹みを設けた、請求項１に記載のカゴ付き容器。
【請求項８】
前記容器を円筒形で形成し、前記カゴを半球形で形成した、請求項１に記載のカゴ付き容器。
【請求項９】
前記回転軸の一つにオネジ１０を設け、前記オネジに嵌るメネジ１２を取り付けた、請求項１に記載のカゴ付き容器。
【請求項１０】
前記回転軸の端車１３の円形面１７に、カゴ縁１０と平行な水平線１５を設けた、請求項１に記載のカゴ付き容器。
【発明の詳細な説明】
【技術分野】
【０００１】  本発明は、内容物を取り出す容器に関する。
【背景技術】
【０００２】  内容物を一列に並べて入れる縦長の容器で、長手の端の口に設けた蓋を開けて、内容物を取り出すものがある。
【先行技術文献】
【特許文献】
【０００３】
【特許文献１】実開１９９４−００３３６７
【特許文献２】特開２０１１−５６２３３
【発明の概要】
【発明が解決しようとする課題】
【０００４】  開けた蓋を取り外して内容物を取り出す容器では、複雑な工程を経なければ、内容物を取り出せないでいる。その工程は、まず片手で容器を持ちながらもう一方の手で取り出し口の蓋を開け、その蓋を手の届くところに置き、次はその手を容器の取り出し口に添えて、容器を傾け内容物を手で受け取り、傾いた容器を元に戻しながら、その内容物も手の届くところに置き、置かれた蓋を取って容器にはめてから、容器を元の位置に戻して、置かれた内容物を取って完了となる。【０００５】  取り出す内容物の数が決まっている場合は、余分なものが出ないように注意しながら、取り出し口に手を添えて容器を傾けて取り出している。【０００６】  容器から取り出した内容物が球形の場合、内容物を置くときは転がらないように注意する必要がある。【０００７】  内容物が菓子などの容器では、内容物を取り出せるだけで、菓子が容器から出てくる時の喜びを与えていない。【０００８】  上記課題を解決するために、蓋の開け閉めをせずに内容物を取り出す容器を提供する。
【課題を解決するための手段】
【０００９】  カゴ付きの容器の蓋が付いた端部とは別の端部に、内容物が一個しか入らない回転軸を持つカゴを取付けた。【００１０】  金属などの重い材料で形成したカゴに、クッション材で形成した受皿を取り付けた。【００１１】  紙やプラスチックなどの軽い材料で形成したカゴに、金属などの重い材料で形成した受皿を取り付けた。【００１２】  ゴルフボールなどの強固なものを入れるカゴ付き容器のカゴを金属などの重い材料で形成し、受皿を設けないようにした。【００１３】  容器の一方の開口縁の脇にカゴの回転軸が嵌る一対の軸受けを設けた。【００１４】  カゴを取り付ける方の開口縁にリブ付き補強枠を取り付けた。【００１５】  カゴの受皿に内容物が嵌る形状と大きさに合わせた凹みを設けた。【００１６】  一方の回転軸にオネジを設け、オネジに嵌るメネジを取付けた。【００１７】  リブ付き補強枠のネジ受けの外側を平面に形成した。【００１８】  カゴの端車の円形面にカゴ縁に平行な水平線のデザインを施した。【００１９】  容器のカゴを設ける開口縁とは別の開口縁にオネジを設け、メネジのある蓋を嵌めて、容器に入れた内容物が落ちないようにした。【００２０】  角筒型の容器でカゴを半円筒形にして、円筒形の容器と同じようなカゴ付き容器にした。
【発明の効果】
【００２１】  カゴを上にし、水平線のある端車の円形面が正面にくるようにカゴ付き容器を掴んで立てて、円形面の水平線を保ちながらカゴ付き容器を転倒させて、カゴの中に内容物を移動させた後にカゴ付き容器を元に立て直し、端車の円形面が上を向く方向にカゴ付き容器を傾ければ、カゴから直接取れない内容物でも蓋を開けずに取り出せるので、蓋を開け閉めする必要も、どこかに置く必要もない。【００２２】  受皿の凹みに嵌った内容物は、容器の動きでカゴが揺れても、凹みから外れるほどの動きでなければ、カゴの中で内容物が動かないので、カゴの揺れも直ぐに戻り、水平線も動かず心配せずに容器を動かせる。また、内容物が球形であれば、カゴが狭いので再び凹みに嵌る。【００２３】  内容物が一個ずつ出るので、容器に手を添える必要がない。【００２４】  カゴが常に上を向いているので、内容物の落ちる心配をしなくて良い。【００２５】  円筒型のカゴ付き容器は、テニスボールや卓球やゴルフボールなどにも利用できるし、内容物が球形やそれに近い形状で、崩れやすいものでなければ、ガムや飴玉やチョコレートなどの菓子にも利用できる。【００２６】  角筒型のカゴ付き容器は、テニスボールや卓球やゴルフボールなどにも利用できるし、内容物が球形やそれに近い形状のものや円筒形やそれに近い形状で、崩れやすいものでなければ、ガムや飴玉やチョコレートなどの菓子にも利用できる。【００２７】  菓子類などは、人に勧めるときに、手渡しをしなくて済むし、カゴ付き容器を転倒させてから元に戻すと、カゴの中に内容物が現れるので、手品のような楽しみを与えてくれるし、ピクニックなどに持っていくと楽しみが増える。【００２８】  カゴの回転軸にオネジを設けたので、カゴを容器の蓋となる位置に回してから、メネジの締めつけでカゴの回転を止めると、内容物が出ないので安心して持ち運びが出来る。【００２９】  メネジを締めつけると、ネジ受の平面にメネジの内側が当たり、締めつけが強固になる。【００３０】  リブ付き補強枠を取り付けたので、カゴの脱落を防げるし、容器とカゴの隙間が小さくなるし、容器に歪みが生じてもリブ付き補強枠が変形しにくいので、カゴの動きに影響を与えない。
【図面の簡単な説明】
【００３１】
【図１】円筒形カゴ付き容器の直立断面図
【図２】円筒形カゴ付き容器の傾き部分断面図
【図３】円筒形カゴ付き容器の傾き転倒部分断面図
【図４】円筒形カゴ付き容器の転倒断面図
【図５】半球形カゴ部分拡大断面図
【図６】半球形カゴ部分拡大分割側面図
【図７】メネジ部分拡大側面図
【図８】オネジ付き回転軸部分拡大断面図
【図９】端車部分拡大側面図
【発明を実施するための形態】
【００３２】  図１，図２、図３、図４に基づいて説明する。１は内容物を入れる容器で、上部に取り付けたカゴ２と容器１の下部のネジにより嵌められている蓋６とで、カゴ付き容器が構成されている。容器１は内容物の重さや大きさなどに合わせて紙やプラスチックで形成し、カゴ１は、軽くするものは紙や軽いプラスチックで形成し、重くするものでは、プラスチックや金属で形成する。容器の断面は内容物の形状に合わせて、円形や角形や楕円形などの断面にする。
【００３３】  図１と図４に基づいて説明する。容器１の開口縁ｂ１６にオネジ１２を設け、蓋６のメネジ１１で嵌めている。
【００３４】  図５に基づいて説明する。カゴ２の底部にある、クッション材であるゴムやスポンジで形成された受皿５は、接着剤でカゴ２に取り付けられ、金属やプラスチックなどの重い材料で形成された受皿５は、接着剤やネジでカゴ２に取り付けられている。
【００３５】  図５〜図８に基づいて説明する。容器１の上部の開口縁ａ７にリブ付き補強枠８を、軸受４にネジ受１４が嵌るように、接着剤により取り付けている。リブ付き補強枠８のネジ受１４が嵌る一方の回転軸３の端部にオネジ１２が施されており、リブ付き補強枠８が取り付けられた後に、メネジ１１のツマミ１８を回してオネジ１２に嵌めている。
【００３６】  図８に基づいて説明する。開口縁ａ７にカゴ２の脱落防止とカゴ２と容器１の隙間を小さくするリブ付き補強枠８を取り付けている。
【００３７】  図９に基づいて説明する。端車１３の円形面１７に水平線１５がカゴ縁１０と平行に設けられている。
【符号の説明】
【００３８】  １    円筒形容器
２    カゴ
３    回転軸
４    軸受
５    受皿
６    蓋
７    開口縁ａ
８    リブ付き補強枠
９    凹み
１０  カゴ縁
１１  メネジ
１２  オネジ
１３  端車
１４  ネジ受
１５  水平線
１６  開口縁ｂ
１７  円形面
１８  ツマミ
Ａ  球形内容物
【図１】
2020045165.tif 000003
【図２】
2020045165.tif 000004
【図３】
2020045165.tif 000005
【図４】
2020045165.tif 000006
【図５】
2020045165.tif 000007
【図６】
2020045165.tif 000008
【図７】
2020045165.tif 000009
【図８】
2020045165.tif 000010
【図９】
2020045165.tif 000011
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
2020045165.tif 000012
の回転軸３を嵌め込み、前記容器と前記カゴを繋げて、直立させると前記カゴが上にくる前記容器を転倒させて内容物を前記カゴに移動させ、前記容器を元に戻して内容物をカゴから取り出す、カゴ付き容器。
【請求項２】
前記カゴを金属などの重い材料で形成した、請求項１に記載のカゴ付き容器。
【請求項３】
前記カゴを紙やプラスチックなどの軽い材料で形成した、請求項１に記載のカゴ付き容器。
【請求項４】
前記カゴの底部に受皿５を取り付けた、請求項１に記載のカゴ付き容器。
【請求項５】
前記受皿を金属などの重い材料で形成した、請求項４に記載のカゴ付き容器。
【請求項６】
前記受皿をクッション材で形成した、請求項４に記載のカゴ付き容器。
【請求項７】
前記受皿に、内容物が嵌る凹み９を設けた、請求項４に記載のカゴ付き容器。
【請求項８】
前記容器を円筒型で形成し、前記カゴを半球形で形成した、請求項１に記載のカゴ付き容器。
【請求項９】
前記回転軸の一つにオネジ１２を設け、前記オネジに嵌るメネジ１１を取り付けた、請求項１に記載のカゴ付き容器  。
【請求項１０】
前記回転軸の端車１３の円形面１７に、カゴ縁１０と平行な水平線１５を設けた、請求項１に記載のカゴ付き容器。
【手続補正２】
【補正対象書類名】明細書
【補正対象項目名】全文
【補正方法】変更
【補正の内容】
【発明の詳細な説明】
【技術分野】
【０００１】  本発明は、内容物を取り出す容器に関する。
【背景技術】
【０００２】  内容物を一列に並べて入れる縦長の容器で、長手の端に設けた蓋を開けて、内容物を取り出すものがある。
【先行技術文献】
【特許文献】
【０００３】
【特許文献１】実開１９９４−００３３６７
【特許文献２】特開２０１１−５６２３３
【発明の概要】
【発明が解決しようとする課題】
【０００４】  開けた蓋を取り外して内容物を取り出す容器では、複雑な工程を経なければ、内容物を取り出せないでいる。その工程は、まず片手で容器を持ちながらもう一方の手で取り出し口の蓋を開け、その蓋を手の届くところに置き、次はその手を容器の取り出し口に添えて、容器を傾け内容物を手で受け取り、傾いた容器を元に戻しながら、その内容物も手の届くところに置き、置かれた蓋を取って容器にはめてから、容器を元の位置に戻して、置かれた内容物を取って完了となる。【０００５】  取り出す内容物の数が決まっている場合は、余分なものが出ないように注意しながら、取り出し口に手を添えて容器を傾けて取り出している。【０００６】  容器から取り出した内容物が球形の場合、内容物を置くときは転がらないように注意する必要がある。【０００７】  内容物が菓子などの容器では、内容物を取り出せるだけで、菓子が容器から出てくる時の喜びを与えていない。【０００８】  上記課題を解決するために、蓋の開け閉めをせずに内容物を取り出す容器を提供する。
【課題を解決するための手段】
【０００９】筒型のカゴ付き容器の蓋が付いた端部とは別の端部に、内容物が一個しか入らない回転軸を持つカゴを取付けた。【００１０】  金属などの重い材料で形成したカゴに、クッション材で形成した受皿を取り付けた。【００１１】  紙やプラスチックなどの軽い材料で形成したカゴに、金属などの重い材料で形成した受皿を取り付けた。【００１２】  ゴルフボールなどの強固なものを入れるカゴ付き容器のカゴを金属などの重い材料で形成し、受皿を設けないようにした。【００１３】  容器の一方の開口縁の脇にカゴの回転軸が嵌る一対の軸受けを設けた。【００１４】  カゴを取り付ける方の開口縁にリブ付き補強枠を取り付けた。【００１５】  カゴの受皿に内容物が嵌る形状と大きさに合わせた凹みを設けた。【００１６】  一方の回転軸にオネジを設け、オネジに嵌るメネジを取付けた。【００１７】  リブ付き補強枠のネジ受けの外側を平面に形成した。【００１８】  カゴの端車の円形面にカゴ縁に平行な水平線のデザインを施した。【００１９】  容器のカゴを設ける開口縁とは別の開口縁にオネジを設け、メネジのある蓋を嵌めて、容器に入れた内容物が落ちないようにした。【００２０】  角筒型の容器でカゴを半円筒形にして、円筒形の容器と同じようなカゴ付き容器にした。
【発明の効果】
【００２１】  カゴを上にし、水平線のある端車の円形面が正面にくるようにカゴ付き容器を掴んで立て、カゴが回転する方向にカゴ付き容器を転倒させて、カゴの中に内容物を移動させた後に、カゴ付き容器を元に立て直して内容物を確認し、カゴを回転させない端車の円形面が上を向く方向にカゴ付き容器を傾ければ、カゴから直接取れない内容物でも蓋を開けずに取り出せるので、蓋を開け閉めする必要も、どこかに置く必要もない。【００２２】  受皿の凹みに嵌った内容物は、容器の動きでカゴが揺れても、凹みから外れるほどの動きでなければ、カゴの中で内容物が動かないので、カゴの揺れも直ぐに戻り、水平線も動かず心配せずに容器を動かせる。また、内容物が球形であれば、カゴが狭いので再び凹みに嵌る。【００２３】  内容物が一個ずつしか出ないので、余分に出るものを防ぐために容器に手を添える必要がない。【００２４】カゴ付き容器を立てていれば、カゴが常に上を向いているので、内容物の落ちる心配をしなくて良い。【００２５】  円筒型のカゴ付き容器は、テニスボールや卓球やゴルフボールなどにも利用できるし、内容物が球形やそれに近い形状で、崩れやすいものでなければ、ガムや飴玉やチョコレートなどの菓子にも利用できる。【００２６】  角筒型のカゴ付き容器は、テニスボールや卓球やゴルフボールなどにも利用できるし、内容物が球形やそれに近い形状のものや円筒形やそれに近い形状で、崩れやすいものでなければ、ガムや飴玉やチョコレートなどの菓子にも利用できる。【００２７】  菓子類などは、人に勧めるときに、手渡しをしなくて済むし、カゴ付き容器を転倒させてから元に戻すと、カゴの中に内容物が現れるので、手品のような楽しみを与えてくれるし、ピクニックなどに持っていくと楽しみが増える。【００２８】  カゴの回転軸にオネジを設けたので、カゴを容器の蓋となる位置に回してから、メネジの締めつけでカゴの回転を止めると、内容物が出ないので安心して持ち運びが出来る。【００２９】  メネジを締めつけると、ネジ受の平面にメネジの内側が当たり、締めつけが強固になる。【００３０】  リブ付き補強枠を取り付けたので、カゴの脱落を防げるし、容器とカゴの隙間が小さくなるし、容器に歪みが生じてもリブ付き補強枠が変形しにくいので、カゴの動きに影響を与えない。
【図面の簡単な説明】
【００３１】
【図１】円筒形カゴ付き容器の直立断面図
【図２】円筒形カゴ付き容器の傾き部分断面図
【図３】円筒形カゴ付き容器の傾き転倒部分断面図
【図４】円筒形カゴ付き容器の転倒断面図
【図５】半球形カゴ部分拡大断面図
【図６】半球形カゴ部分拡大分割側面図
【図７】メネジ部分拡大側面図
【図８】オネジ付き回転軸部分拡大断面図
【図９】端車部分拡大側面図
【図１０】蓋拡大断面図
【発明を実施するための形態】
【００３２】  図１，図２、図３、図４に基づいて説明する。１は内容物を入れる容器で、上部に取り付けたカゴ２と容器１の下部のネジにより嵌められている蓋６とで、カゴ付き容器が構成されている。容器１は内容物の重さや大きさなどに合わせて紙やプラスチックで形成し、カゴ２は、軽くするものは紙や軽いプラスチックで形成し、重くするものでは、プラスチックや金属で形成する。容器の断面は内容物の形状に合わせて、円形や角形や楕円形などの断面にする。
【００３３】  図１０に基づいて説明する。容器１の開口縁ｂ１６に蓋オネジ１９を設け、蓋６の蓋メネジ２０で嵌めている。
【００３４】  図５に基づいて説明する。カゴ２の底部にある、クッション材であるゴムやスポンジで形成された受皿５は、接着剤でカゴ２に取り付けられ、金属やプラスチックなどの重い材料で形成された受皿５は、接着剤やネジでカゴ２に取り付けられている。
【００３５】  図５〜図８に基づいて説明する。容器１の上部の開口縁ａ７にリブ付き補強枠８を、軸受４にネジ受１４が重なるように、接着剤により取り付けている。リブ付き補強枠８のネジ受１４が嵌る一方の回転軸３の端部にオネジ１２が施されており、リブ付き補強枠８が取り付けられた後に、メネジ１１のツマミ１８を回してオネジ１２に嵌めている。
【００３６】  図８に基づいて説明する。開口縁ａ７にカゴ２の脱落防止とカゴ２と容器１の隙間を小さくするリブ付き補強枠８を取り付けている。
【００３７】  図９に基づいて説明する。端車１３の円形面１７に水平線１５がカゴ縁１０と平行に設けられている。
【符号の説明】
【００３８】
2020045165.tif 000013
２    カゴ
３    回転軸
４    軸受
５    受皿
６    蓋
７    開口縁ａ
８    リブ付き補強枠
９    凹み
１０  カゴ縁
１１  メネジ
１２  オネジ
１３  端車
１４  ネジ受
１５  水平線
１６  開口縁ｂ
１７  円形面
１８  ツマミ
１９  蓋オネジ
２０  蓋メネジ
Ａ  球形内容物
【手続補正３】
【補正対象書類名】図面
【補正対象項目名】全図
【補正方法】変更
【補正の内容】
【図１】
2020045165.tif 000014
【図２】
2020045165.tif 000015
【図３】
2020045165.tif 000016
【図４】
2020045165.tif 000017
【図５】
2020045165.tif 000018
【図６】
2020045165.tif 000019
【図７】
2020045165.tif 000020
【図８】
2020045165.tif 000021
【図９】
2020045165.tif 000022
【図１０】
2020045165.tif 000023
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
容器１に設けた軸受４に、重さを利用して上を向くカゴ２の回転軸３を嵌め込み、前記容器と前記カゴを繋げて、直立させると前記カゴが上にくる前記容器を転倒させてボールを前記カゴに移動させ、前記容器を元に戻してボールを前記カゴから取り出す、前記カゴの底部に凹み９のある受皿５を取り付けたカゴ付きボール容器。
【請求項２】
前期カゴを金属などの重い材料で形成した、請求項１に記載のカゴ付きボール容器。
【請求項３】
前記カゴを紙やプラスチックなどの軽い材料で形成した、請求項１に記載のカゴ付きボール容器。
【請求項４】
前記凹みのある前記受皿をクッション材で形成した、請求項１に記載のカゴ付きボール容器。
【請求項５】
前記容器をボールが入る円筒型で形成し、前記カゴを半球形で形成した、請求項１に記載のカゴ付きボール容器。
【請求項６】
前記回転軸の一つにオネジ１２を設け、前記オネジに嵌るメネジ１１を取り付けた、請求項１に記載のカゴ付きボール容器。
【請求項７】
前記回転軸の端車１３の円形面１７に、カゴ縁１０と平行な水平線１５を設けた、請求項１に記載のカゴ付きボール容器。
【手続補正２】
【補正対象書類名】明細書
【補正対象項目名】全文
【補正方法】変更
【補正の内容】
【発明の詳細な説明】
【技術分野】
【０００１】  本発明は、ボールを取り出す容器に関する。
【背景技術】
【０００２】  ボールを一列に並べて入れる縦長の容器で、長手の端に設けた蓋を開けて、ボールを取り出すものがある。
【先行技術文献】
【特許文献】
【０００３】
【特許文献１】実開１９９４−００３３６７
【特許文献２】特開２０１１−５６２３３
【発明の概要】
【発明が解決しようとする課題】
【０００４】  開けた蓋を取り外してボールを取り出す容器では、複雑な工程を経なければ、ボールを取り出せないでいる。その工程は、まず片手で容器を持ちながらもう一方の手で取り出し口の蓋を開け、その蓋を手の届くところに置き、次はその手を容器の取り出し口に添えて、容器を傾けボールを手で受け取り、傾いた容器を元に戻しながら、そのボールも手の届くところに置き、置かれた蓋を取って容器にはめてから、容器を元の位置に戻して、置かれたボールを取って完了となる。【０００５】  取り出すボールの数が決まっている場合は、余分なものが出ないように注意しながら、取り出し口に手を添えて容器を傾けて取り出している。【０００６】  容器から取り出したボールは、置くときは転がらないように注意する必要がある。【０００７】  ボール用の容器では、取り出せるだけで、ボールが容器から出てくる時の喜びを与えていない。【０００８】  上記課題を解決するために、蓋の開け閉めをせずにボールを取り出す容器を提供する。
【課題を解決するための手段】
【０００９】  カゴ付きボール容器の蓋が付いた端部とは別の端部に、ボールが一個しか入らない回転軸を持つカゴを取付けた。【００１０】  金属などの重い材料で形成したカゴに、クッション材で形成した受皿を取り付けた。【００１１】  紙やプラスチックなどの軽い材料で形成したカゴに、金属などの重い材料で形成した受皿を取り付けた。【００１２】  ゴルフボールなどの強固なものを入れるカゴ付きボール容器のカゴを、金属などの重い材料で形成し、受皿を設けないようにした。【００１３】  容器の一方の開口縁の脇にカゴの回転軸が嵌る一対の軸受けを設けた。【００１４】  カゴを取り付ける方の開口縁にリブ付き補強枠を取り付けた。【００１５】  カゴの受皿にボールが嵌る形状と大きさに合わせた凹みを設けた。【００１６】  一方の回転軸にオネジを設け、オネジに嵌るメネジを取付けた。【００１７】  リブ付き補強枠のネジ受けの外側を平面に形成した。【００１８】  カゴの端車の円形面にカゴ縁に平行な水平線のデザインを施した。【００１９】  容器のカゴを設ける開口縁とは別の開口縁にオネジを設け、メネジのある蓋を嵌めて、容器に入れたボールが落ちないようにした。【００２０】  角筒型の容器でカゴを半円筒形にして、円筒形の容器と同じようなカゴ付きボール容器にした。
【発明の効果】
【００２１】  カゴを上にし、水平線のある端車の円形面が正面にくるようにカゴ付きボール容器を掴んで立てて、円形面の水平線を保ちながらカゴ付きボール容器を転倒させて、カゴの中にボールを移動させた後にカゴ付きボール容器を元に立て直し、端車の円形面が上を向く方向にカゴ付きボール容器を傾ければ、カゴから直接取れないボールでも蓋を開けずに取り出せるので、蓋を開け閉めする必要も、どこかに置く必要もない。【００２２】  受皿の凹みに嵌ったボールは、容器の動きでカゴが揺れても、凹みから外れるほどの動きでなければ、カゴの中でボールが動かないので、カゴの揺れも直ぐに戻り、水平線も動かず心配せずに容器を動かせる。【００２３】  ボールが一個ずつ出るので、容器に手を添える必要がない。【００２４】  カゴが常に上を向いているので、ボールの落ちる心配をしなくて良い。【００２５】  円筒型のカゴ付きボール容器は、テニスボールや卓球やゴルフボールなどにも利用できる。【００２６】  角筒型のカゴ付きボール容器は、テニスボールや卓球やゴルフボールなどにも利用できる。【００２７】  ボールを、人に渡すときに、手渡しをしなくて済むし、カゴ付きボール容器を転倒させてから元に戻すと、カゴの中にボールが現れるので、手品のような楽しみを与えてくれる。【００２８】  カゴの回転軸にオネジを設けたので、カゴを容器の蓋となる位置に回してから、メネジの締めつけでカゴの回転を止めると、ボールが出ないので安心して持ち運びが出来る。【００２９】  メネジを締めつけると、ネジ受の平面にメネジの内側が当たり、締めつけが強固になる。【００３０】  リブ付き補強枠を取り付けたので、カゴの脱落を防げるし、容器とカゴの隙間が小さくなるし、容器に歪みが生じてもリブ付き補強枠が変形しにくいので、カゴの動きに影響を与えない。
【図面の簡単な説明】
【００３１】
【図１】円筒形カゴ付きボール容器の直立断面図
【図２】円筒形カゴ付きボール容器の傾き転倒部分断面図
【図３】円筒形カゴ付きボール容器の傾き部分断面図
【図４】円筒形カゴ付きボール容器の転倒断面図
【図５】半球形カゴ部分拡大断面図
【図６】メネジ部分拡大側面図
【図７】オネジ付き回転軸部分拡大断面図
【図８】端車部分拡大側面図
【図９】半球形カゴ部分拡大分割側面図
【発明を実施するための形態】
【００３２】  図１，図２、図３、図４に基づいて説明する。１はボールを入れる容器で、上部に取り付けたカゴ２と容器１の下部のネジにより嵌められている蓋６とで、カゴ付きボール容器が構成されている。容器１はボールの重さや大きさなどに合わせて紙やプラスチックで形成し、カゴ２を、軽くするものは紙や軽いプラスチックで形成し、重くするものでは、プラスチックや金属で形成する。容器１の断面はボールの大きさに合わせた断面にする。
【００３３】  図１と図４に基づいて説明する。容器１の開口縁ｂ１６に蓋オネジ１９を設け、蓋６の蓋メネジ２０で嵌めている。
【００３４】  図５に基づいて説明する。カゴ２の底部にある、クッション材であるゴムやスポンジで形成された受皿５は、接着剤でカゴ２に取り付けられ、金属やプラスチックなどの重い材料で形成された受皿５は、接着剤やネジでカゴ２に取り付けられている。
【００３５】  図５〜図８に基づいて説明する。容器１の上部の開口縁ａ７にリブ付き補強枠８を、軸受４にネジ受１４が重なるように、接着剤により取り付けている。リブ付き補強枠８のネジ受１４が嵌る一方の回転軸３の端部にオネジ１２が施されており、リブ付き補強枠８が取り付けられた後に、メネジ１１のツマミ１８を回してオネジ１２に嵌めている。
【００３６】  図７に基づいて説明する。開口縁ａ７にカゴ２の脱落防止とカゴ２と容器１との隙間を小さくするリブ付き補強枠８を取り付けている。
【００３７】  図８に基づいて説明する。端車１３の円形面１７に水平線１５がカゴ縁１０と平行に設けられている。
【符号の説明】
【００３８】１    容器
２    カゴ
３    回転軸
４    軸受
５    受皿
６    蓋
７    開口縁ａ
８    リブ付き補強枠
９    凹み
１０  カゴ縁
１１  メネジ
１２  オネジ
１３  端車
１４  ネジ受
１５  水平線
１６  開口縁ｂ
１７  円形面
１８  ツマミ
１９  蓋オネジ
２０  蓋メネジ
Ａ  ボール
【手続補正３】
【補正対象書類名】図面
【補正対象項目名】図１０
【補正方法】削除
【補正の内容】